(57)【要約】【課題】周囲の光量のレベルに応じて発光制御が可能なコースター、家具、照明装置、インテリアまたはアクセサリの部品、発光制御装置の提供、または周囲の光量レベルを検出する光量検出装置の提供。【解決手段】載置エリア１１０と発光エリア１２０を含むコースター１００であって、載置エリアの少なくとも一部に設けられた受光エリア１１２から光を受光し受光した光量に応じたアナログ信号を出力する光量センサと、アナログ信号をデジタル信号に変換するアナログ処理回路と、光量値の大きさに応じて３段階以上の複数の光量レベルに分類し、分類された光量レベルに対応した光量レベル信号を出力する光量レベル検出部と、発光した光を発光エリアに供給可能な位置に設置され、複数の異なる色、輝度及び点滅状態の少なくとも１つを可変に制御可能な発光ユニットと、前記光量レベル信号に基づき前記発光ユニットの色、輝度及び点滅状態の少なくとも１つを変更する制御を行う発光ユニット制御部と、を含む。【選択図】図５
2009136633.tif 000002
【特許請求の範囲】
【請求項１】
物品を載置される載置エリアと光の発光演出を行う発光エリアを含むコースターであって、
載置エリアの少なくとも一部に設けられた受光エリアから光を受光し、受光した光量に応じたアナログ信号を出力する光量センサと、
前記光量センサから出力される光量値に対応したアナログ信号を受け取り、デジタル信号に変換して出力するアナログ処理回路と、
前記アナログ処理回路から出力される光量値を示すデジタル信号を受け取り、光量値の大きさに応じて３段階以上の複数の光量レベルに分類し、分類された光量レベルに対応した光量レベル信号を出力する光量レベル検出部と、
発光した光を発光エリアに供給可能な位置に設置され、複数の異なる色、輝度及び点滅状態の少なくとも１つを可変に制御可能な発光ユニットと、
前記光量レベル信号に基づき前記発光ユニットの色、輝度及び点滅状態の少なくとも１つを変更する制御を行う発光ユニット制御部と、を含むコースター。
【請求項２】
受光エリアと光の発光エリアを含む家具であって、
受光エリアから光を受光し受光した光量に応じたアナログ信号を出力する光量センサと、
前記光量センサから出力される光量値に対応したアナログ信号を受け取り、デジタル信号に変換して出力するアナログ処理回路と、
前記アナログ処理回路から出力される光量値を示すデジタル信号を受け取り、光量値の大きさに応じて３段階以上の複数の光量レベルに分類し、分類された光量レベルに対応した光量レベル信号を出力する光量レベル検出部と、
発光した光を発光エリアに供給可能な位置に設置され、複数の異なる色、輝度及び点滅状態の少なくとも１つを可変に制御可能な発光ユニットと、
前記光量レベル信号に基づき前記発光ユニットの色、輝度及び点滅状態の少なくとも１つを変更する制御を行う発光ユニット制御部と、を含む家具。
【請求項３】
受光エリアと光の発光エリアを含む照明装置であって、
受光エリアから光を受光し受光した光量に応じたアナログ信号を出力する光量センサと、
前記光量センサから出力される光量値に対応したアナログ信号を受け取り、デジタル信号に変換して出力するアナログ処理回路と、
前記アナログ処理回路から出力される光量値を示すデジタル信号を受け取り、光量値の大きさに応じて３段階以上の複数の光量レベルに分類し、分類された光量レベルに対応した光量レベル信号を出力する光量レベル検出部と、
発光した光を発光エリアに供給可能な位置に設置され、複数の異なる色、輝度及び点滅状態の少なくとも１つを可変に制御可能な発光ユニットと、
前記光量レベル信号に基づき前記発光ユニットの色、輝度及び点滅状態の少なくとも１つを変更する制御を行う発光ユニット制御部と、を含む照明装置。
【請求項４】
受光エリアと光の発光演出を行う発光エリアを含むインテリアまたはアクセサリの部品であって、
受光エリアから光を受光し受光した光量に応じたアナログ信号を出力する光量センサと、
前記光量センサから出力される光量値に対応したアナログ信号を受け取り、デジタル信号に変換して出力するアナログ処理回路と、
前記アナログ処理回路から出力される光量値を示すデジタル信号を受け取り、光量値の大きさに応じて３段階以上の複数の光量レベルに分類し、分類された光量レベルに対応した光量レベル信号を出力する光量レベル検出部と、
発光した光を発光エリアに供給可能な位置に設置され、複数の異なる色、輝度及び点滅状態の少なくとも１つを可変に制御可能な発光ユニットと、
前記光量レベル信号に基づき前記発光ユニットの色、輝度及び点滅状態の少なくとも１つを変更する制御を行う発光ユニット制御部と、を含むインテリアまたはアクセサリの部品。
【請求項５】
発光制御装置であって、
光を受光し受光した光量に応じたアナログ信号を出力する光量センサと、
前記光量センサから出力される光量値に対応したアナログ信号を受け取り、デジタル信号に変換して出力するアナログ処理回路と、
前記アナログ処理回路から出力される光量値を示すデジタル信号を受け取り、光量値の大きさに応じて３段階以上の複数の光量レベルに分類し、分類された光量レベルに対応した光量レベル信号を出力する光量レベル検出部と、
複数の異なる色、輝度及び点滅状態の少なくとも１つを可変に制御可能な発光ユニットと、
前記光量レベル信号に基づき前記発光ユニットの色、輝度及び点滅状態の少なくとも１つを変更する制御を行う発光ユニット制御部と、を含む発光制御装置。
【請求項６】
光量検出装置であって、
光を受光し受光した光量に応じたアナログ信号を出力する光量センサと、
前記光量センサから出力される光量値に対応したアナログ信号を受け取り、デジタル信号に変換して出力するアナログ処理回路と、
前記アナログ処理回路から出力される光量値を示すデジタル信号を受け取り、光量値の大きさに応じて３段階以上の複数の光量レベルに分類し、分類された光量レベルに対応した光量レベル信号を出力する光量レベル検出部と、を含む光量検出装置。
【発明の詳細な説明】
【技術分野】
【０００１】
本発明は、コースター、家具、照明装置、インテリアまたはアクセサリの部品、発光制御装置及び光量検出装置に関する。
【背景技術】
【０００２】
光センサを用いて周囲の光を受光し、受光した光量が所定の閾値を超えたか否かをよって点灯の有無を制御する照明装置等が知られている。
【特許文献１】特開２００５−１５８５０５号公報
【発明の開示】
【発明が解決しようとする課題】
【０００３】
また上記公報には、複数台の光演出器具がそれぞれＲＧＢの３色の発光ダイオードを光源として備え、各光演出器具に対して個別に演出データを作成することなく、１つの演出データを複数台の光演出器具で共用することを可能にする光演出システム記載されている。しかし決められた調光データに応じて光演出が行われるものであるため、パターン化された光演出を繰り返すことにかできなかった。
【０００４】
本発明のいくつかの態様の目的は、周囲の光量のレベルに応じて発光制御が可能なコースター、家具、照明装置、インテリアまたはアクセサリの部品、発光制御装置に関する。また本発明のいくつかの態様の目的は、周囲の光量レベルを検出する光量検出装置に関する。
【課題を解決するための手段】
【０００５】
（１）本発明は、
物品を載置される載置エリアと光の発光演出を行う発光エリアを含むコースターであって、
載置エリアの少なくとも一部に設けられた受光エリアから光を受光し、受光した光量に応じたアナログ信号を出力する光量センサと、
前記光量センサから出力される光量値に対応したアナログ信号を受け取り、デジタル信号に変換して出力するアナログ処理回路と、
前記アナログ処理回路から出力される光量値を示すデジタル信号を受け取り、光量値の大きさに応じて３段階以上の複数の光量レベルに分類し、分類された光量レベルに対応した光量レベル信号を出力する光量レベル検出部と、
発光した光を発光エリアに供給可能な位置に設置され、複数の異なる色、輝度及び点滅状態の少なくとも１つを可変に制御可能な発光ユニットと、
前記光量レベル信号に基づき前記発光ユニットの色、輝度及び点滅状態の少なくとも１つを変更する制御を行う発光ユニット制御部と、を含む。
【０００６】
（２）本発明は、
受光エリアと光の発光エリアを含む家具であって、
受光エリアから光を受光し受光した光量に応じたアナログ信号を出力する光量センサと、
前記光量センサから出力される光量値に対応したアナログ信号を受け取り、デジタル信号に変換して出力するアナログ処理回路と、
前記アナログ処理回路から出力される光量値を示すデジタル信号を受け取り、光量値の大きさに応じて３段階以上の複数の光量レベルに分類し、分類された光量レベルに対応した光量レベル信号を出力する光量レベル検出部と、
発光した光を発光エリアに供給可能な位置に設置され、複数の異なる色、輝度及び点滅状態の少なくとも１つを可変に制御可能な発光ユニットと、
前記光量レベル信号に基づき前記発光ユニットの色、輝度及び点滅状態の少なくとも１つを変更する制御を行う発光ユニット制御部と、を含む。
【０００７】
（３）本発明は、
受光エリアと光の発光エリアを含む照明装置であって、
受光エリアから光を受光し受光した光量に応じたアナログ信号を出力する光量センサと、
前記光量センサから出力される光量値に対応したアナログ信号を受け取り、デジタル信号に変換して出力するアナログ処理回路と、
前記アナログ処理回路から出力される光量値を示すデジタル信号を受け取り、光量値の大きさに応じて３段階以上の複数の光量レベルに分類し、分類された光量レベルに対応した光量レベル信号を出力する光量レベル検出部と、
発光した光を発光エリアに供給可能な位置に設置され、複数の異なる色、輝度及び点滅状態の少なくとも１つを可変に制御可能な発光ユニットと、
前記光量レベル信号に基づき前記発光ユニットの色、輝度及び点滅状態の少なくとも１つを変更する制御を行う発光ユニット制御部と、を含む。
【０００８】
（４）本発明は、
受光エリアと光の発光演出を行う発光エリアを含むインテリアまたはアクセサリの部品であって、
受光エリアから光を受光し受光した光量に応じたアナログ信号を出力する光量センサと、
前記光量センサから出力される光量値に対応したアナログ信号を受け取り、デジタル信号に変換して出力するアナログ処理回路と、
前記アナログ処理回路から出力される光量値を示すデジタル信号を受け取り、光量値の大きさに応じて３段階以上の複数の光量レベルに分類し、分類された光量レベルに対応した光量レベル信号を出力する光量レベル検出部と、
発光した光を発光エリアに供給可能な位置に設置され、複数の異なる色、輝度及び点滅状態の少なくとも１つを可変に制御可能な発光ユニットと、
前記光量レベル信号に基づき前記発光ユニットの色、輝度及び点滅状態の少なくとも１つを変更する制御を行う発光ユニット制御部と、を含む。
【０００９】
（５）本発明は、
発光制御装置であって、
光を受光し受光した光量に応じたアナログ信号を出力する光量センサと、
前記光量センサから出力される光量値に対応したアナログ信号を受け取り、デジタル信号に変換して出力するアナログ処理回路と、
前記アナログ処理回路から出力される光量値を示すデジタル信号を受け取り、光量値の大きさに応じて３段階以上の複数の光量レベルに分類し、分類された光量レベルに対応した光量レベル信号を出力する光量レベル検出部と、
複数の異なる色、輝度及び点滅状態の少なくとも１つを可変に制御可能な発光ユニットと、
前記光量レベル信号に基づき前記発光ユニットの色、輝度及び点滅状態の少なくとも１つを変更する制御を行う発光ユニット制御部と、を含む。
【００１０】
（６）本発明は、
光量検出装置であって、
光を受光し受光した光量に応じたアナログ信号を出力する光量センサと、
前記光量センサから出力される光量値に対応したアナログ信号を受け取り、デジタル信号に変換して出力するアナログ処理回路と、
前記アナログ処理回路から出力される光量値を示すデジタル信号を受け取り、光量値の大きさに応じて３段階以上の複数の光量レベルに分類し、分類された光量レベルに対応した光量レベル信号を出力する光量レベル検出部と、を含む。
【発明を実施するための最良の形態】
【００１１】
以下、本発明の好適な実施の形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００１２】
図１は、本実施の形態の光量検出装置の構成について説明するための図である。
【００１３】
本実施の形態の光量検出装置１０は、光量センサ２０を含む。光量センサ２０は、光を受光し受光した光量に応じたアナログ信号を出力する。例えば光量センサをフォトセンサで構成してもよい。そしてフォトセンサを構成するフォトダイオードからでる電流を電圧にかえてアナログ信号として出力するようにしてもよい。
【００１４】
本実施の形態の光量検出装置１０は、アナログ処理回路３０を含む。アナログ処理回路３０は、ローパスフィルタ／オペアンプ、Ａ／Ｄコンバータ等を含み、光量センサ２０が出力するアナログ信号２２の入力を受け付け、対応するデジタル信号３２を生成するように構成されていてもよい。
【００１５】
本実施の形態の光量検出装置１０は、レベル検出部４０を含む。レベル検出部４０は、アナログ処理回路３０から出力される光量値を示すデジタル信号３２を受け取り、光量値の大きさに応じて３段階以上の複数の光量レベルに分類し、分類された光量レベルに対応した光量レベル信号４２を出力する。
【００１６】
図２は、本実施の形態の発光制御装置の構成について説明するための図である。
【００１７】
本実施の形態の発光制御装置５０は、光量検出装置１０を含む。光量検出装置１０の構成については図１と同様であるので説明を省略する。
【００１８】
本実施の形態の発光制御装置５０は、発光ユニット７０を含む。発光ユニット７０は複数の異なる色、輝度及び点滅状態の少なくとも１つを可変に制御可能な発光ユニットである。発光ユニット７０は、例えば色の異なる発光ダイオード（以下ＬＥＤ（Light Emitting Diode）という）を光源としてそなえてもよい。
【００１９】
本実施の形態の発光制御装置５０は、発光ユニット制御部６０を含む。発光ユニット制御部６０は光量レベル信号４２に基づき前記発光ユニットの色、輝度及び点滅状態の少なくとも１つを変更する制御を行う。
【００２０】
光量レベル信号に基づき前記発光ユニットの色を変化させる構成の場合には色の異なる複数の光源を用意して、光量レベル信号に応じて発光させる光源を切り替えることで色を変化させてもよい。光量レベル信号に基づき前記発光ユニットの輝度を変化させる構成の場合には、光量レベル信号に応じて１つの光源の輝度を変化させる構成でもよいし、複数の光源を用意して発光させる光源の数を制御するようにしてもよい。光量レベル信号に基づき前記発光ユニットの点滅状態を変化させる構成の場合には、光量レベル信号に応じて点滅状態を制御する制御信号を切り替える構成でもよい。
【００２１】
図３は、本実施の形態の発光制御装置の発光ユニット及び発光ユニット制御部の構成の具体例について説明するための図である。
【００２２】
発光ユニット７０は、例えば第１のＬＥＤ７２−１、第２のＬＥＤ７２−２、第３のＬＥＤ７２−３を含んで構成してもよい。第１のＬＥＤ７２−１、第２のＬＥＤ７２−２、第３のＬＥＤ７２−３は例えば白、赤、青と色の異なるものを用意してもよい。第１のＬＥＤ７２−１、第２のＬＥＤ７２−２、第３のＬＥＤ７２−３はそれぞれ制御信号７２−１、７２−２、７２−３がＯＮ状態になると発光するように構成されている。
【００２３】
発光ユニット制御部６０は、例えばＬＥＤの発光の有無を制御する制御信号７４を受け付け、光量レベル信号４２に基づきに基づき、いずれかのＬＥＤに接続された制御信号７２−１、７２−２、７２−３を選択して出力する選択回路７６として構成してもよい。
【００２４】
例えば光量をその大きさによって４段階のレベルに分類して、レベル１の時は発光なし、レベル２時は赤、レベル３時は白、レベル４時は青とすると、選択回路７６は光量レベル信号４４が１の場合にはいずれの制御信号も選択せず、光量レベル信号４４が２の場合には制御信号７２−１をＯＮとし、光量レベル信号４４が３の場合には制御信号７２−２をＯＮとし、光量レベル信号４４が４の場合には制御信号７２−３をＯＮとするように制御してもよい。
【００２５】
図４は発光制御の処理の流れを示すフローチャートである。
【００２６】
光量センサで光量を検出する（ステップＳ１０）。
【００２７】
次に光量センサが出力するアナログ信号をデジタル信号に変換する（ステップＳ２０）。
【００２８】
次にデジタル信号と光量のレベル判定条件に基づき３つ以上の複数の光量レベルのいずれかのレベルに分類し、分類された光量レベルに対応した光量レベル信号を出力する（ステップＳ３０）。
【００２９】
次に光量レベル信号に基づき前記発光ユニット（ＬＥＤ）の色、輝度及び点滅状態の少なくとも１つを変更する制御を行う（ステップＳ４０）。
【００３０】
図５（Ａ）（Ｂ）、図６は、本実施の形態のコースターについて説明するための図である。
【００３１】
図５（Ａ）は、本実施の形態のコースターの主面（コップ等が置かれる面）を上方から見た図）を表しており、図５（Ｂ）は、本実施の形態のコースターを側面からみた様子を表している。
【００３２】
図５（Ａ）に示すように、本実施の形態のコースター１００は、物品（例えばコップ）を載置される載置エリア１１０と光の発光演出を行う発光エリア１２０を含む。コースターの載置エリアは、コップやカップや食器等が載置可能に構成されている。光量センサは例えばフォトセンサ等で実現してもよい。発光ユニットは例えばＬＥＤ（Light Emitting Diode）等で実現してもよい。
【００３３】
ここで載置エリア１１０は図示しない受光エリアを含み、受光エリアから入り込む光を内部の光量センサが受光するようにしてもよい。発光エリアは内部の発光ユニットが発光する光を外部に透過させるエリアである。
【００３４】
例えば図５（Ｂ）に示すように、コースター１００を内部ユニット１４０と、それを含む外部ユニット１３０とで構成してもよい。外部ユニット１３０の少なくとも一部（例えば載置エリア１１０や発光エリア１２０を含む部分）の素材を光が透過可能な透明または半透明な素材（ガラスやプラスチック等）で形成することにより、外部の光は外部ユニットを透過して内部の光量センサ（内部ユニット１４０に内蔵）で受光され、また発光ユニット（内部ユニット１４０に内蔵）が発光する光は外部ユニットを透過して外部に放出される。
【００３５】
また例えばコースターの載置エリア１１０に孔（開口部）を設けて、当該孔（開口部）から入り込む光を内部の光量センサが受光するようにしてもよい。
【００３６】
内部ユニット１４０は、載置エリア１１０の少なくとも一部に設けられた受光エリア１１２から光を受光し受光した光量に応じたアナログ信号を出力する光量センサと、前記光量センサから出力される光量値に対応したアナログ信号を受け取り、デジタル信号に変換して出力するアナログ処理回路と、アナログ処理回路から出力される光量値を示すデジタル信号を受け取り、光量値の大きさに応じて３段階以上の複数の光量レベルに分類し、分類された光量レベルに対応した光量レベル信号を出力する光量レベル検出部と、発光した光を発光エリアに供給可能な位置に設置され、複数の異なる色、輝度及び点滅状態の少なくとも１つを可変に制御可能な発光ユニット（ＬＥＤ）と、光量レベル信号に基づき前記発光ユニット（ＬＥＤ）の色、輝度及び点滅状態の少なくとも１つを変更する制御を行う発光ユニット制御部とを含んで構成してもよい。
【００３７】
ここで例えば、発光ユニットとして色の異なる光源を複数備え、光量センサが受光した光量をその大きさにより複数の段階（例えば４段階）のレベルに分類し、レベルに応じて色を決定し、決定した色を発光させる光源を点灯状態に制御するようにしてもよい。
【００３８】
このようにすると、図６に示すようにコースターは置かれたコップに入った水の量に応じて異なる色に発光する。すなわちコップが同型である場合には中に入っている水の量が異なると載置エリアに設けられた受光エリア１１２に入ってくる光量も異なってくる。例えば１９０−１、１９０−２、１９０−３に示すように同型のコップに入っている水の量（ここでは高さで表す）がｌ１、ｌ２、ｌ３が、ｌ１＞ｌ２＞ｌ３である場合、１９０−１、１９０−２、１９０−３の水を透過する光量をｋ１、ｋ２、ｋ３とすると、ｋ１＞ｋ２＞ｋ３となる。
【００３９】
例えば光量がｋ１、ｋ２、ｋ３がそれぞれ異なるレベル２、３、４に属する場合には、各発光ユニットはそれぞれ異なる色（例えば赤、白、青）の光を発光する。従って１９０−１に示すようにコップに水が沢山入っている場合には発光エリアＨ１は赤くひかり、１９０−２に示すようにコップに水が中くらい入っている場合には発光エリアＨ２は白くひかり、１９０−１に示すようにコップに水が少ししか入っていない場合には発光エリアＨ１は青くひかる。
【００４０】
このように本実施の形態によれば置かれたコップに入っている水の量に応じて異なる色に発光するコースターを提供することができる。
【００４１】
図７は、本実施の形態の家具（ここでは棚）について説明するための図である。本実施の形態の家具３００は受光エリア３１２−１、３１２−２、３１２−３と光の発光エリア３２０を含む。
【００４２】
受光エリア３１２−１、３１２−２、３１２−３は、光が透過可能な透明または半透明な素材（ガラスやプラスチック等）で形成して外部の光を透過させて家具内部に設けられた図示しない光量センサに受光させるようにしてもよいし、孔（開口部）を設けて、当該孔（開口部）から入り込む光を内部の光量センサに受光させるようにしてもよい。
【００４３】
発光エリア３３０は、光が透過可能な透明または半透明な素材（ガラスやプラスチック等）で形成され、家具内部に設けられた図示しない発光ユニットが発光する光を透過可能に形成されている。
【００４４】
また家具内部には受光エリア３１２−１、３１２−２、３１２−３から光を受光し受光した光量に応じたアナログ信号を出力する光量センサと、前記光量センサから出力される光量値に対応したアナログ信号を受け取り、デジタル信号に変換して出力するアナログ処理回路と、アナログ処理回路から出力される光量値を示すデジタル信号を受け取り、光量値の大きさに応じて３段階以上の複数の光量レベルに分類し、分類された光量レベルに対応した光量レベル信号を出力する光量レベル検出部と、発光した光を発光エリアに供給可能な位置に設置され、複数の異なる色、輝度及び点滅状態の少なくとも１つを可変に制御可能な発光ユニットと、前記光量レベル信号に基づき前記発光ユニットの色、輝度及び点滅状態の少なくとも１つを変更する制御を行う発光ユニット制御部とを含む。
【００４５】
ここで例えば、発光ユニットとして色の異なる光源を複数備え、光量センサが受光した光量をその大きさにより複数の段階（例えば４段階）のレベルに分類し、レベルに応じて色を決定し、決定した色を発光させる光源を点灯状態に制御するようにしてもよい。
【００４６】
なお、各光量センサエリアと１対１で対応するように発光ユニットを設けても良いし、１対多または、多対１で対応するように発光ユニットを設けても良い。１対多で対応するように発光ユニットを設ける場合には、１つの光量センサの測定に基づき生成される光量レベル信号を用いて複数の発光ユニットの発光色を制御してもよい。多対１で対応するように発光ユニットを設ける場合には、複数の光量センサの測定に基づき生成される複数の光量光量レベル信号から１つの光量レベル信号を選択して１つの発光ユニットの発光色を制御してもよい。選択はランダムに行っても良いし、所定の規則に従って行っても良い。
【００４７】
外部の明るさ（時間帯や照明）に応じて光量センサの受光する光量は変化するので、発光エリアの発光色も変化する。従って本実施の形態によれば、周囲の光量に応じて発光色の変化する家具を提供することができる。また棚の上にものが置かれて受光エリアから受光する光量が変化する発光色が変化する。
【００４８】
なお上記実施の形態では、家具の一例として棚を例にとり説明したがこれに限られない。例えば食器棚や本棚以外にも、テーブルや椅子やタンス等でもよい。
【００４９】
図８は、本実施の形態の照明器具について説明するための図である。本実施の形態の照明器具４００は受光エリア４１２と光の発光エリア４２０を含む。
【００５０】
受光エリア４１２は、光が透過可能な透明または半透明な素材（ガラスやプラスチック等）で形成して外部の光を透過させて家具内部に設けられた図示しない光量センサに受光させるようにしてもよいし、孔（開口部）を設けて、当該孔（開口部）から入り込む光を内部の光量センサに受光させるようにしてもよい。
【００５１】
発光エリア４３０は、光が透過可能な透明または半透明な素材（ガラスやプラスチック等）で形成され、照明器具内部に設けられた図示しない発光ユニットが発光する光を透過可能に形成されている。
【００５２】
また照明器具内部には受光エリア４１２から光を受光し受光した光量に応じたアナログ信号を出力する光量センサと、前記光量センサから出力される光量値に対応したアナログ信号を受け取り、デジタル信号に変換して出力するアナログ処理回路と、アナログ処理回路から出力される光量値を示すデジタル信号を受け取り、光量値の大きさに応じて３段階以上の複数の光量レベルに分類し、分類された光量レベルに対応した光量レベル信号を出力する光量レベル検出部と、発光した光を発光エリアに供給可能な位置に設置され、複数の異なる色、輝度及び点滅状態の少なくとも１つを可変に制御可能な発光ユニットと、前記光量レベル信号に基づき前記発光ユニットの色、輝度及び点滅状態の少なくとも１つを変更する制御を行う発光ユニット制御部とを含む。
【００５３】
ここで例えば、発光ユニットとして色の異なる光源を複数備え、光量センサが受光した光量をその大きさにより複数の段階（例えば４段階）のレベルに分類し、レベルに応じて色を決定し、決定した色を発光させる光源を点灯状態に制御するようにしてもよい。
【００５４】
外部の明るさ（時間帯や照明）に応じて照明器具の光量センサの受光する光量は変化するので、発光エリアの発光色も変化する。従って本実施の形態によれば、周囲の光量に応じて発光色の変化する照明器具を提供することができる。
【００５５】
図９（Ａ）（Ｂ）は、本実施の形態のインテリア部品について説明するための図である。図９（Ａ）は、本実施の形態のインテリア部品を側面からみた様子を表しており、図９（Ｂ）は、本実施の形態のインテリア部品の主面（インテリアとして目に映る面）を上方から見た図を表している。
【００５６】
図９（Ｂ）に示すように、本実施の形態のインテリア部品２００は、受光エリア２１２と光の発光演出を行う発光エリア２２０を含む。受光エリア２１２から入り込む光を内部の光量センサ（内部ユニット２４０に内蔵）が受光するようにしてもよい。発光エリア２２０は内部の発光ユニット２５０が発光する光を外部に透過させるエリアである。
【００５７】
例えば図９（Ａ）に示すように、インテリア部品２００を内部ユニット２４０、発光ユニット２５０と、それを含む外部ユニット２３０とで構成してもよい。外部ユニット２３０の筐体の主面の少なくとも一部（発光エリア２２０を含む部分）を構成する部分の素材を光が透過可能な透明または半透明な素材（ガラスやプラスチック等）で形成することにより、外部の光は外部ユニットを透過して内部の光量センサ（内部ユニット２４０に内蔵）で受光され、また発光ユニット２５０が発光する光は外部ユニットの光が透過可能な素材で形成された部分を透過して外部に放出される。
【００５８】
発光ユニット２５０は、発光エリアに設置され、複数の異なる色、輝度及び点滅状態の少なくとも１つを可変に制御可能な光源（例えばＬＥＤ）で構成される。
【００５９】
内部ユニット２４０は、載置エリア２１０の少なくとも一部に設けられた受光エリア２１２から光を受光し受光した光量に応じたアナログ信号を出力する光量センサと、前記光量センサから出力される光量値に対応したアナログ信号を受け取り、デジタル信号に変換して出力するアナログ処理回路と、前記アナログ処理回路から出力される光量値を示すデジタル信号を受け取り、光量値の大きさに応じて３段階以上の複数の光量レベルに分類し、分類された光量レベルに対応した光量レベル信号を出力する光量レベル検出部と、光量レベル信号に基づき前記発光ユニット（ＬＥＤ）の色、輝度及び点滅状態の少なくとも１つを変更する制御を行う発光ユニット制御部とを含んで構成してもよい。
【００６０】
本実施の形態のインテリア部品２００は、インテリア製品（例えば静置して使用される調度品等）の一部として組み込んで使用されても良いし、家具や調度品や建造物や工作物の一部に組み込まれて使用されてもよい。
【００６１】
外部の明るさ（時間帯や照明）に応じてインテリア部品２００の光量センサの受光する光量は変化するので、発光エリアの発光色も変化する。従って本実施の形態によれば、周囲の光量に応じて発光色の変化するインテリアを提供することができる。
【００６２】
図１０は、本実施の形態のアクセサリ部品の一例を示す図である。５００は携帯電話等に付けるアクセサリであるストラップである。本実施の形態のアクセサリ５０２は、半透明の星形の部品であり受光エリア５１２と光の発光演出を行う発光エリア５２０を含む。受光エリア５１２から入り込む光を内部の光量センサが受光し、発光エリア５２０から内部の発光ユニットが発光する光を外部に透過させるエリアである。
【００６３】
星形の部品の素材を光が透過可能なガラスやプラスチック等で形成することにより、外部の光を透過して内部の光量センサで受光し、また内部の発光ユニットが発光する光を透過して外部に放出する。
【００６４】
本実施のアクセサリ部品はアクセサリ製品（携帯して使用される物品や電子機器や装飾品に付随して使用されるもの等）の一部として組み込んで使用されても良い。
【００６５】
外部の明るさ（時間帯や照明）に応じてアクセサリ部品の光量センサの受光する光量は変化するので、発光エリアの発光色も変化する。従って本実施の形態によれば、周囲の光量に応じて発光色の変化するアクセサリを提供することができる。
【００６６】
本発明は、上述した実施の形態に限定されるものではなく、種々の変形が可能である。例えば、本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【００６７】
例えば上記実施の形態では、光量レベルに応じて発光色を変化させる場合を例に取り説明したがこれに限られない。例えば光量レベルに応じて輝度や点滅状態を変化させる場合でもよい。
【００６８】
例えば上記実施の形態では、発光ユニットの光源としてＬＥＤを用いる場合を例にとり説明したがこれに限られず、他の光源を用いても良い。
【図面の簡単な説明】
【００６９】
【図１】光量検出装置の構成について説明するための図。
【図２】発光制御装置の構成について説明するための図。
【図３】発光制御装置の発光ユニット及び発光ユニット制御部の構成の具体例について説明するための図。
【図４】発光制御の処理の流れを示すフローチャート。
【図５】コースターについて説明するための図。
【図６】コースターについて説明するための図。
【図７】家具（ここでは棚）について説明するための図。
【図８】照明器具について説明するための図。
【図９】インテリア部品について説明するための図。
【図１０】アクセサリ部品について説明するための図。
【符号の説明】
【００７０】
１０  光量検出装置、２０  光量センサ、３０  アナログ処理回路、４０  レベル検出部、５０  発光制御装置、６０  発光ユニット制御部、７０  発光ユニット、１００  コースター、１１０  載置エリア、１１２  受光エリア、１２０  発光エリア、２００  インテリア部品、３００  家具、４００  照明器具、５００  アクセサリ部品
【図１】
2009136633.tif 000003
【図２】
2009136633.tif 000004
【図３】
2009136633.tif 000005
【図４】
2009136633.tif 000006
【図６】
2009136633.tif 000007
【図７】
2009136633.tif 000008
【図８】
2009136633.tif 000009
【図９】
2009136633.tif 000010
【図１０】
2009136633.tif 000011
【図５】
2009136633.tif 000012